(57)【要約】【課題】  モジュール用端子に螺合した雄ねじの干渉を防止する【解決手段】  モジュール用端子１は、金属板からなる端子本体１０と、当該端子本体１０に装着される絶縁性を有した干渉防止部材２０と、を含む。端子本体１０は、一端部１１が組電池３の電極へ電気的に接続されるとともに、端子部１２に雌ねじ部１５が貫通して一体形成されている。雌ねじ部１５に螺合した雄ねじ５は、端子本体１０の端子部１２を貫通して先端が組電池３の端面と対向する位置に配置される。干渉防止部材２０は、雄ねじ５の先端と、組電池３の端面との間に配置されることで、雄ねじ５が、積層電池セル２の本体やその端子等と干渉することを回避する。【選択図】      図４
2010257944.tif 000002
【特許請求の範囲】
【請求項１】
複数の積層電池セルを接続してなる組電池を内蔵するモジュールに対し、電力を入出力する端子として組み込まれるモジュール用端子であって、
金属板からなり、雄ねじと協働して電気配線を固定する端子部を有するとともに、前記組電池の電極へ電気的に接続される端子本体と、
前記端子本体に装着される絶縁性を有した干渉防止部材とを含み、
前記端子本体又は干渉防止部材に、前記雄ねじをねじ込む雌ねじ部を有し、当該雌ねじ部に螺合した前記雄ねじは、先端が前記組電池の端面と対向する位置に配置される構成となっており、
前記干渉防止部材は、前記雌ねじ部に螺合した雄ねじの先端と、前記組電池の端面との間に配置され、かつ、前記端子本体に着脱自在に装着される取付部と、前記雌ねじ部に螺合した雄ねじの先端と前記組電池の端面との間に配置される壁部と、を備えることを特徴とするモジュール用端子。
【請求項２】
前記端子本体は、一端部が前記端子部を形成するとともに、当該端子部に前記雌ねじ部を有する構成であることを特徴とする請求項１のモジュール用端子。
【請求項３】
前記端子本体には、平板状の装着領域が形成されており、
前記干渉防止部材の取付部は、平板状の基部と、この基部の底面と一定の間隔をおいて平行に配設されるとともに、一側縁で前記基部に連結され、弾力的に撓み可能なクリップ状の取付片と、で形成されており、
前記干渉防止部材は、前記基部と取付片とで前記端子本体の装着領域を挟み込んで、当該装着領域へ摺動自在に装着されることを特徴とする請求項２のモジュール用端子。
【請求項４】
前記干渉防止部材の取付部は、前記基部と取付片の開口する他側縁から前記端子本体の装着領域に嵌め込まれ、且つ当該前記基部と取付片の他側縁には前記端子本体の装着領域の縁部に係合する外れ防止爪が形成されていることを特徴とする請求項３のモジュール用端子。
【請求項５】
前記端子本体は、前記装着領域における他端部寄りの終端位置が屈曲形成されており、当該屈曲部が前記干渉防止部材の摺動範囲を規制するストッパを構成していることを特徴とする請求項３又は４のモジュール用端子。
【請求項６】
前記干渉防止部材を、前記端子本体の雌ねじ部が形成された端子部方向へ付勢する付勢手段が設けられていることを特徴とする請求項２乃至５のいずれか一項に記載のモジュール用端子。
【請求項７】
前記端子本体は、前記端子部から円筒状の膨出部を絞り成形し、当該膨出部の内周面に前記雌ねじ部を形成してあることを特徴とする請求項２乃至６のいずれか一項に記載のモジュール用端子。
【請求項８】
前記干渉防止部材は、前記壁部と対向して前記雌ねじ部を有する構成であることを特徴とする請求項１のモジュール用端子。
【請求項９】
前記雌ねじ部は、前記壁部と対向する部位に形成した雌ねじ保持部と、当該雌ねじ保持部に装着されるナット部材とを含む構成であることを特徴とする請求項８のモジュール用端子。
【請求項１０】
前記モジュールは、前記組電池を収容するケーシングを含み、当該ケーシングには角筒状の延出部が形成してあり、
前記雌ねじ保持部は、前記角筒状の延出部に挿入配置され、前記雄ねじから受ける回転モーメントに対して前記延出部の内周面に当接して連れ回りを規制する構成となっていることを特徴とする請求項９のモジュール用端子。
【請求項１１】
前記干渉防止部材は、左右両側面にそれぞれ側壁を有し、それら各側壁が、前記壁部及び雌ねじ保持部に連結されており、前記角筒状の延出部に挿入配置された状態で、前記雄ねじから受ける回転モーメントに対して前記延出部の内周面に当接して連れ回りを規制する構成となっていることを特徴とする請求項１０のモジュール用端子。
【請求項１２】
請求項１０又は１１のモジュール用端子において、更に次の（イ）乃至（ホ）の構成を備えたことを特徴とするモジュール用端子。
（イ）  前記端子本体は、一端部が前記端子部を形成しており、かつ当該一端部以外の部位に前記干渉防止部材の装着領域が形成されている。
（ロ）  前記雌ねじ保持部は、前記端子本体の端子部と対向配置される正面壁部と、端子部の周囲を覆う周壁部とを有し、これら正面壁部と周壁部は互いに連結されている。
（ハ）  前記干渉防止部材は、前記取付部に、前記端子本体の装着領域へ弾性的に係合する係止爪を有し、
前記雌ねじ保持部は、前記周壁部の一部に、前記端子本体の端子部を前記正面壁部の対向位置へと導入案内する切欠き部が形成してあり、
前記切欠き部から前記端子本体の端子部を導き入れ、当該端子部を前記正面壁部の対向位置へ案内する過程で、前記係止爪が前記端子本体の装着領域へ弾性的に係合する構成となっている。
（ニ）  前記端子本体は、前記装着領域に位置決め孔を有し、
前記干渉防止部材は、この位置決め孔に差し込まれる位置決めピンを有しており、
前記切欠き部から前記端子本体の端子部を導き入れ、当該端子部を前記正面壁部の対向位置へ案内する過程で、前記位置決めピンが前記位置決め孔に差し込まれる構成となっている。
（ホ）  前記位置決めピンは、根元から先端に向かって先細りとなる角錐形状に形成されており、根元において各辺の頂部が前記位置決め孔の内周との当接状態を保つ寸法に設定してある。
【請求項１３】
前記端子本体は、帯状の金属板を立体的に曲げ加工して形成してあり、中間部には当該金属板を捻りながら引き起こして直角方向へ延出させた捻り部を有していることを特徴とする請求項１乃至１２のいずれか一項に記載のモジュール用端子。
【発明の詳細な説明】
【技術分野】
【０００１】
この発明は、二次電池モジュール等に対し電力を入出力するために組み込まれるモジュール用端子に関し、例えば電気自動車（ハイブリッドカーを含む）の二次電池を構成するために、複数個のモジュールを接続するモジュールに好適な端子に関する。
【背景技術】
【０００２】
近年、環境保護意識の高まり等により、充電機能を有する二次電池を備えた低公害車に注目が集まっている。そのため、二次電池についても充電容量の増加等を目的とした研究開発が進み、例えば特許文献１に示すようなリチウムイオン二次電池モジュールが提案されている。
【０００３】
同文献において、二次電池モジュールを構成する二次電池セルは、正極及び負極（内部電極対）をセパレータを挟んで交互に積層するとともに、電解液を絶縁性の袋状外包体によって密封する構成をもって、充電されるエネルギーの高密度化を実現している。このように、二次電池モジュールは、二次電池セル（以下、積層電池セルともいう）を複数積み重ねて直列に接続することで、さらなる大容量化が図られている。
【先行技術文献】
【特許文献】
【０００４】
【特許文献１】特開２００４−１１１０９８号
【発明の概要】
【発明が解決しようとする課題】
【０００５】
さて、特許文献１のような複数の積層電池セルからなる二次電池モジュールは、積層電池セルに設けた端子に電気配線を固定するための雄ねじがねじ込まれる。このとき注意して雄ねじのねじ込み作業を行わないと、雄ねじの先端が積層電池セルの本体部分に衝突して同電池セルを破損させたり、積層電池セルの端子や電極に雄ねじの先端が接触して短絡したりするおそれがあった。
【０００６】
本発明は、このような実状に鑑みてなされたものであって、端子本体の雌ねじ部にねじ込まれる雄ねじが、積層電池セルの本体やその端子等と干渉するおそれのないモジュール用端子の提供を目的とする。
【課題を解決するための手段】
【０００７】
上記目的を達成するために、請求項１の発明は、複数の積層電池セルを接続してなる組電池を内蔵するモジュールに対し、電力を入出力する端子として組み込まれるモジュール用端子であって、
金属板からなり、雄ねじと協働して電気配線を固定する端子部を有するとともに、前記組電池の電極へ電気的に接続される端子本体と、
前記端子本体に装着される絶縁性を有した干渉防止部材とを含み、
前記端子本体又は干渉防止部材に、前記雄ねじをねじ込む雌ねじ部を有し、当該雌ねじ部に螺合した前記雄ねじは、先端が前記組電池の端面と対向する位置に配置される構成となっており、
前記干渉防止部材は、前記雌ねじ部に螺合した雄ねじの先端と、前記組電池の端面との間に配置され、かつ、前記端子本体に着脱自在に装着される取付部と、前記雌ねじ部に螺合した雄ねじの先端と前記組電池の端面との間に配置される壁部と、を備えることを特徴とする。
【０００８】
また、請求項２の発明は、請求項１の記載を前提として、
前記端子本体は、一端部が前記端子部を形成するとともに、当該端子部に前記雌ねじ部を有する構成であることを特徴とする。
【０００９】
さらに、請求項３の発明は、請求項２の記載を前提として、
前記端子本体には、平板状の装着領域が形成されており、
前記干渉防止部材の取付部は、平板状の基部と、この基部の底面と一定の間隔をおいて平行に配設されるとともに、一側縁で前記基部に連結され、弾力的に撓み可能なクリップ状の取付片と、で形成されており、
前記干渉防止部材は、前記基部と取付片とで前記端子本体の装着領域を挟み込んで、当該装着領域へ摺動自在に装着されることを特徴とする。
【００１０】
請求項４の発明は、請求項３の記載を前提として、
前記干渉防止部材の取付部は、前記基部と取付片の開口する他側縁から前記端子本体の装着領域に嵌め込まれ、且つ当該前記基部と取付片の他側縁には前記端子本体の装着領域の縁部に係合する外れ防止爪が形成されていることを特徴とする。
【００１１】
請求項５の発明は、請求項３又は４の記載を前提として、
前記端子本体は、前記装着領域における他端部寄りの終端位置が屈曲形成されており、当該屈曲部が前記干渉防止部材の摺動範囲を規制するストッパを構成していることを特徴とする。
【００１２】
請求項６の発明は、請求項２乃至５のいずれか一項の記載を前提として、
前記干渉防止部材を、前記端子本体の雌ねじ部が形成された端子部方向へ付勢する付勢手段が設けられていることを特徴とする。
【００１３】
そして、請求項７の発明は、請求項２乃至６のいずれか一項の記載を前提として、
前記端子本体は、前記端子部から円筒状の膨出部を絞り成形し、当該膨出部の内周面に前記雌ねじ部を形成してあることを特徴とする。
【００１４】
また、請求項８の発明は、請求項１の記載を前提として、
前記干渉防止部材は、前記壁部と対向して前記雌ねじ部を有する構成であることを特徴とする。
【００１５】
請求項９の発明は、請求項８の記載を前提として、
前記雌ねじ部は、前記壁部と対向する部位に形成した雌ねじ保持部と、当該雌ねじ保持部に装着されるナット部材とを含む構成であることを特徴とする。
【００１６】
請求項１０の発明は、請求項９の記載を前提として、
前記モジュールは、前記組電池を収容するケーシングを含み、当該ケーシングには角筒状の延出部が形成してあり、
前記雌ねじ保持部は、前記角筒状の延出部に挿入配置され、前記雄ねじから受ける回転モーメントに対して前記延出部の内周面に当接して連れ回りを規制する構成となっていることを特徴とする。
【００１７】
請求項１１の発明は、請求項１０の記載を前提として、
前記干渉防止部材は、左右両側面にそれぞれ側壁を有し、それら各側壁が、前記壁部及び雌ねじ保持部に連結されており、前記角筒状の延出部に挿入配置された状態で、前記雄ねじから受ける回転モーメントに対して前記延出部の内周面に当接して連れ回りを規制する構成となっていることを特徴とする。
【００１８】
請求項１２の発明は、請求項１０又は１１の記載を前提として、更に次の（イ）乃至（ホ）の構成を備えたことを特徴とする。
（イ）  前記端子本体は、一端部が前記端子部を形成しており、かつ当該一端部以外の部位に前記干渉防止部材の装着領域が形成されている。
（ロ）  前記雌ねじ保持部は、前記端子本体の端子部と対向配置される正面壁部と、端子部の周囲を覆う周壁部とを有し、これら正面壁部と周壁部は互いに連結されている。
（ハ）  前記干渉防止部材は、前記取付部に、前記端子本体の装着領域へ弾性的に係合する係止爪を有し、
前記雌ねじ保持部は、前記周壁部の一部に、前記端子本体の端子部を前記正面壁部の対向位置へと導入案内する切欠き部が形成してあり、
前記切欠き部から前記端子本体の端子部を導き入れ、当該端子部を前記正面壁部の対向位置へ案内する過程で、前記係止爪が前記端子本体の装着領域へ弾性的に係合する構成となっている。
（ニ）  前記端子本体は、前記装着領域に位置決め孔を有し、
前記干渉防止部材は、この位置決め孔に差し込まれる位置決めピンを有しており、
前記切欠き部から前記端子本体の端子部を導き入れ、当該端子部を前記正面壁部の対向位置へ案内する過程で、前記位置決めピンが前記位置決め孔に差し込まれる構成となっている。
（ホ）  前記位置決めピンは、根元から先端に向かって先細りとなる角錐形状に形成されており、根元において各辺の頂部が前記位置決め孔の内周との当接状態を保つ寸法に設定してある。
【００１９】
請求項１３の発明は、請求項１乃至１２のいずれか一項の記載を前提として、
前記端子本体は、帯状の金属板を立体的に曲げ加工して形成してあり、中間部には当該金属板を捻りながら引き起こして直角方向へ延出させた捻り部を有していることを特徴とする。
【００２０】
上述した請求項１、２及び８の発明によれば、雌ねじ部に螺合した雄ねじの先端と、組電池の端面との間に干渉防止部材が介在することになる。このため、螺合した雄ねじの先端は干渉防止部材に当接するので、積層電池セルの本体やその端子等との干渉を回避することができる。しかも、干渉防止部材の取付部を端子本体へ装着するだけで、壁部を雌ねじ部に螺合した雄ねじの先端と前記組電池の端面との間に配置することができ、簡単な組み付け作業で、積層電池セルの本体やその端子等との干渉防止構造を形成することが可能となる。
【００２１】
請求項３の発明によれば、干渉防止部材の基部と取付片とで端子本体の装着領域を挟み込むだけで、簡単に干渉防止部材を端子本体へ装着することができる。しかも、干渉防止部材は、端子本体の装着領域に対して摺動自在となっているので、雄ねじ先端の突き出し長さが異なっても柔軟に対応することができる。
【００２２】
請求項４の発明によれば、干渉防止部材に形成した外れ防止爪が端子本体における装着領域の縁部に係合することで、干渉防止部材の意図しない脱落を防止できる。
【００２３】
請求項５の発明によれば、干渉防止部材の摺動範囲をストッパで規制することで、雄ねじから伝えられる押圧力をもって干渉防止部材が積層電池セルの本体やその端子等に当接して、それら積層電池セルやその端子等を破損してしまう危険を回避することができる。
【００２４】
請求項６の発明によれば、付勢手段をもって干渉防止部材を端子本体の端子部方向へ付勢しているので、当該干渉防止部材の端子部に形成した雌ねじ部にねじ込まれた雄ねじの先端に、当該付勢力をもって干渉部材が当接した状態となる。したがって、外部から振動を受けても、干渉防止部材のがたつきや意図しない自由な摺動を防止することができる。
【００２５】
請求項７の発明によれば、金属板からなる端子本体の一端部（端子部）に、簡単な機械加工をもって雌ねじ部を一体形成する構成としたので、端子本体の一端部にナット部材を溶着する等の構成に比べ部品点数が少なく、量産にも適している。
【００２６】
一方、請求項９の発明によれば、干渉防止部材に形成した雌ねじ保持部にナット部材を組み込むだけで雌ねじ部が構成されるため、容易に組立て作業を行うことができる。例えば、干渉防止部材を樹脂成形にて製作すれば、雌ねじ保持部を一体に成形でき、しかも端子部材のねじ切り加工やナット部材の溶着を必要としないため、製造工程の簡素化を図ることが可能である。
【００２７】
請求項１０の発明によれば、雄ねじを雌ねじ部にねじ込む際に、雌ねじ保持部が、ケーシングの延出部内周面に当接して、干渉部材及びこれが装着される端子本体の連れ回りを規制するので、端子本体が移動して組電池の電極との間の電気的な接続状態を破断してしまうおそれがない。
【００２８】
請求項１１の発明によれば、干渉防止部材に形成された側壁が、ケーシングの延出部内周面に当接して、干渉部材及びこれが装着される端子本体の連れ回りを規制するので、干渉防止部材が捩りモーメントの作用を受けることもなく、いっそう安定して端子本体と組電池の電極との間の電気的な接続状態を保持することができる。
【００２９】
請求項１２の発明によれば、端子本体の端子部の周囲を、干渉防止部材の雌ねじ保持部に形成した周壁部が覆うので、端子部がケーシングの延出部内周面に当接することから生じる金属打音を防止することができる。
また、雌ねじ保持部に形成した切欠き部から端子本体の端子部を導き入れ、当該端子部を正面壁部の対向位置へ案内する組付け手順を実行するだけで、係止爪が端子本体の装着領域へ弾性的に係合するように導かれるので、係止爪を適正な姿勢で端子本体の装着領域へ係合させることができる。しかも、当該組付けの過程で、位置決めピンも位置決め孔へ適正な姿勢で差し込まれる。したがって、係止爪や位置決めピンに過大な応力が作用してそれらを破損させてしまうおそれがない。
【００３０】
請求項１３の発明によれば、帯状の金属板を曲げ加工して端子本体を形成するため、打抜加工に比べて材料の無駄が少なく、材料歩留りが良好で材料費を安価に抑えることが可能となる。
【発明の効果】
【００３１】
以上説明したように、本発明のモジュール用端子によれば、雌ねじ部にねじ込まれる雄ねじが、積層電池セルの本体やその端子等と干渉するおそれがなく、それら積層電池セル本体やその端子等の破損防止と、積層電池セルの短絡防止に顕著な効果を奏することができる。
【図面の簡単な説明】
【００３２】
【図１】本発明の第１実施形態に係るモジュール用端子を備えたモジュールと、同モジュールによって構成される二次電池を示す分解斜視図である。
【図２】本発明の第１実施形態に係るモジュール用端子を備えたモジュールの外観を示す斜視図である。
【図３】図２に示すモジュールの内部構成を示す斜視図である。
【図４】図２に示すモジュールの内部に収納された積層電池セルの電気的接続関係を示す概略図である。
【図５】本発明の第１実施形態に係るモジュール用端子の全体構成を示す斜視図である。
【図６】本発明の第１実施形態に係るモジュール用端子の投影図であり、（ａ）は上面図、（ｂ）は正面図、（ｃ）は側面図である。
【図７】本発明の第１実施形態に係るモジュールの端子本体を示す斜視図及び投影図である。
【図８】本発明の第１実施形態に係るモジュールの干渉防止部材を示す斜視図及び投影図である。
【図９】本発明の第１実施形態に係るモジュール用端子に対し、雄ねじを螺合する動作を順次示した側面断面図である。
【図１０】本発明の第１実施形態に係るモジュール用端子と雄ねじの螺合状態を示す部分斜視図である。
【図１１】（ａ）はモジュール用端子と雄ねじの螺合状態を示す側面断面図、（ｂ）は干渉防止部材がない場合を例示する側面断面図である。
【図１２】本発明の第１実施形態に係るモジュール用端子の変形例を示す斜視図及び投影図である。
【図１３】本発明の第１実施形態に係るモジュール用端子の他の変形例を示す斜視図である。
【図１４】本発明の第２実施形態に係るモジュール用端子を備えたモジュールの外観を示す斜視図である。
【図１５】図１４に示すモジュールの内部構成を示す分解斜視図である。
【図１６】図１４に示すモジュールに収納された積層電池セルとモジュール用端子の電気的接続関係を示す斜視図である。
【図１７】本発明の第２実施形態において、モジュールに組み込まれる三種類のモジュール用端子を示すであり、（ａ）（ｂ）は電力入出力用のモジュール用端子の一つをそれぞれ別の方向から見た斜視図、（ｃ）（ｄ）は中間電圧測定用のモジュール用端子をそれぞれ別の方向から見た斜視図、（ｅ）（ｆ）は電力入出力用のモジュール用端子の他の一つをそれぞれ別の方向から見た斜視図である。
【図１８】本発明の第２実施形態に係るモジュール用端子を示す分解斜視図である。
【図１９】本発明の第２実施形態に係る端子本体の構成を説明するための図で、（ａ）は加工前の金属板（材料）を示す平面図、（ｂ）は端子本体の斜視図である。
【図２０】本発明の第２実施形態に係る干渉防止部材の構成を説明するための図で、（ａ）は干渉防止部材の斜視図、（ｂ）は干渉防止部材を端子本体に組み付けた状態を示す斜視図である。
【発明を実施するための形態】
【００３３】
以下、この発明の実施の形態について図面を参照して詳細に説明する。
〔第１実施形態〕
図１乃至図１３は、本発明の第１実施形態に係るモジュール用端子を説明するための図である。
本実施形態のモジュール用端子１は、複数の積層電池セル２を接続してなる組電池３を内蔵するモジュール４に対し、電力を入出力する端子として組み込まれる。このモジュール４は、例えば電気自動車に搭載する二次電池１００として利用される。
【００３４】
図１は、本実施形態に係るモジュール用端子を備えたモジュールと、同モジュールによって構成される二次電池を示す分解斜視図である。
電気自動車に搭載される二次電池１００は、例えば図１に示すように、モジュール４を横方向に複数個並べて、隣り合うモジュール４同士を直列接続することで組み立てられる。この接続において、モジュール用端子１にはバスバー６の導電板６ａを介して雄ねじ５が螺合される。バスバー６は、モジュール４を直列接続するように導電板６ａを予め配列してあり、雄ねじ５を螺合するだけで二次電池１００を構成することが可能となっている。二次電池１００は、直列接続した複数のモジュール４によって大容量化され、電気自動車に好適な電力供給源となる。
なお、このモジュール４は、電気自動車の二次電池１００への適用に限定されるものではなく、例えばＵＰＳ（無停電電源装置）用、電力のロードレベリング用等にも適用可能なことは勿論である。
【００３５】
図２は、本実施形態に係るモジュール用端子を備えたモジュールの外観を示す斜視図であり、図３は、図２の内部構成を示す斜視図である。
図２及び図３に示すように、モジュール４は、複数の積層電池セル２を接続して構成された組電池３と、この組電池３を外装するケーシング３０と、組電池３の電力入出力用に組み込まれるモジュール用端子１と、を含む構成である。
【００３６】
組電池３を構成する積層電池セル２は、エネルギー密度及び密封性が高いリチウムイオン電池を適用している。本実施形態のリチウムイオン電池は、内部電極対、セパレータ、及び電解液（ともに図示せず）が平面長方形状で可撓性の袋状外包体２ａによって密封されたシート状の電池である。このリチウムイオン電池の内部構造及び原理については周知であるため、その詳細な説明については省略する。袋状外包体２ａは、熱可塑性樹脂製の内層面と、金属箔製の中間層と、絶縁樹脂製の外面層と、を備えるラミネートフィルムで形成されている。積層電池セル２は、この袋状外包体２ａに密封されるため、包体の外部に延出する正極端子２ｂ、負極端子２ｃ以外は電気絶縁性が確保されることになる。
【００３７】
図３に示すように、組電池３は、上記の積層電池セル２を複数層（本実施形態では三層）積み重ねるとともに、複数列（本実施形態では二列）並べて構成される。複数の積層電池セル２は、例えば図４に示すように、正極端子２ｂと負極端子２ｃが導電部材３ａを介して電気的に接続される。これにより組電池３は、積層電池セル２が直列接続された回路構成となって形成される。モジュール用端子１は、この組電池３の両電極を構成する末端側の積層電池セル２に対し、電力を入出力する端子構造として組み込まれる。
なお組電池３を、例えば二列、二層の積層電池セル２を接続して構成する場合は、特許文献１の図４に示されるように正極端子２ｂと負極端子２ｃを電気的に接続することができる。また、積層電池セル２の各端子間の接続方法についても、同文献の図５、図６に示される方法を採用することができる。
【００３８】
ケーシング３０は、図２に示すように、モジュール４の外観部分を構成する。上記の組電池３はこのケーシング３０内に収容される。ケーシング３０は、直方形状に形成された筒体３１と、この筒体３１の両端部に装着される蓋体３２とを含む。筒体３１は、例えば直方形状を保持し得るだけの強度、及びモジュール４の軽量化等を勘案して、アルミニウム合金を用いて形成することができる。一方、蓋体３２は、電気絶縁性を有する合成樹脂からなり、組電池３を構成する各積層電池セル２の正極端子２ｂ、負極端子２ｃ間を確実に絶縁できる収容空間（図示せず）が形成されている。この蓋体３２により、例えば電気自動車に二次電池１００を搭載し、走行時の振動や衝突時の衝撃等が作用した場合でも、各積層電池セル２の端子間の接触を阻止することができる。
【００３９】
図５は、本実施形態に係るモジュール用端子の全体構成を示す斜視図であり、図６は、同じくモジュール用端子の投影図であり、（ａ）は上面図、（ｂ）は正面図、（ｃ）は側面図である。また、図７は、モジュールの端子本体を示す斜視図及び投影図、図８は、モジュールの干渉防止部材を示す斜視図及び投影図である。
【００４０】
図５乃至図８に示すように、モジュール用端子１は、端子本体１０と、干渉防止部材２０と、を含む構成である。
端子本体１０は、銅製の金属板により形成され、導電性及び可塑性等を有する構造となっている。端子本体１０は、金属板を図７に示すような段付き形状に折曲げ加工して成形されている。この端子本体１０は、一端部を略直角に折り曲げて形成された端子部１２と、平端面に形成された他端部１１と、この他端部から屈曲部１６を介して端子部１２の根元まで延在する平板状の装着領域１３とを有している。
【００４１】
端子本体１０の他端部１１は、組電池３を構成する末端側の積層電池セル２に挿入されて、袋状外包体２ａ内の内部電極対に接続される。これにより、モジュール用端子１は、組電池３に対し電力を入出力する端子として電気的に導通する。
【００４２】
装着領域１３は、組電池３に接続される他端部１１に対し、組電池３の端面から延出する。この装着領域１３には、後述するように干渉防止部材２０が装着される。
【００４３】
一端部は、雄ねじ５と協働して電気配線を固定する端子部１２を構成している。この端子部１２は、略正方形の平板状に形成されており、その中央部分には膨出部１４が形成されている。膨出部１４は、端子部１２を円筒状に絞り成形してなり、その内周面には雌ねじ部１５が形成されている。このように端子本体１０の他端部を絞り成形し、且つその内周面をねじ切りするだけで、雌ねじ部１５を一体成形している。雌ねじ部１５の先端開口面は、組電池３と対向している。この雌ねじ部１５には、基端側の開口から雄ねじ５がねじ込まれる。
【００４４】
一方、干渉防止部材２０は、図８に示すように、絶縁性を有する合成樹脂材を用いた樹脂成形品であり、取付部２１と壁部２２が一体成形されている。取付部２１は、平板状の基部２１ａと、この基部２１ａの底面と一定の間隔をおいて平行に配設された取付片２１ｂとで形成されている。基部２１ａと取付片２１ｂとは、一側縁で連結されて全体が略Ｕ字状に形成されている。そして、取付片２１ｂは、弾力的に撓み可能なクリップ状となっている。取付部２１の基部２１ａと取付片２１ｂには、他側縁（連結された縁部と反対の側縁）に、それぞれ外れ防止爪２７が形成されている。
【００４５】
干渉防止部材２０は、基部２１ａと取付片２１ｂとで装着領域１３を挟み込むことで、端子本体１０へ摺動自在に装着される。このとき、外れ防止爪２７が端子本体１０における装着領域１３の縁部に係合し、干渉防止部材２０の意図しない脱落を防止する。一方、干渉防止部材２０は、取付片２１ｂを撓ませて基部２１ａとの間隔を広げ、端子本体１０に対する外れ防止爪２７の係合を解除するだけで、装着領域１３から容易に取り外すことも可能となっている。このように、干渉防止部材２０は、単純な構造で着脱自在となっており、端子本体１０へ簡単に組み付けることができ、作業性がよい。
【００４６】
また、取付片２１ｂには、基部２１ａと対向する面に、リブ２３が形成してある。このリブ２３は、取付片２１ｂを撓ませてその弾性力を強め、基部２１ａと取付部２１の装着領域１３との間の摩擦力を向上させる。これによって、干渉防止部材２０が装着領域１３上を自由に移動することを防止している。
【００４７】
壁部２２は、上記取付部２１の後側端部から直交方向に突き出すとともに、平板状に形成されている。壁部２２には、両側部に支持壁２４が一体形成されており、前後方向からの押圧に対する剛性が補強されている（図８参照）。この支持壁２４には、後述する雄ねじ５の螺合時及び螺合状態において、雄ねじ５の先端面が対向することとなる。
【００４８】
次に、本実施形態のモジュール用端子１の組み立て方法について説明する。
端子本体１０は、積層電池セル２の製造工程において、予め積層電池セル２に他端部１１が挿入され、電気的に接続される。モジュール用端子１は、この積層電池セル２から延出した端子本体１０に干渉防止部材２０を装着することによって組み立てられる。具体的には、図６に示すように、壁部２２が、端子部１２に対向し、且つ積層電池セル２寄りに位置するように、干渉防止部材２０の姿勢を合わせて、取付部２１を装着領域１３に挟み込む。これにより干渉防止部材２０は、取付部２１が装着領域１３上を摺動自在となって装着される（図６（ｃ）参照）。
【００４９】
このモジュール用端子１の組み立て状態では、壁部２２が積層電池セル２寄りに位置することで、干渉防止部材２０の充分な移動区間が確保される。
ここで、端子本体１０は、装着領域１３における他端部１１寄りの終端位置が屈曲形成されており、当該屈曲部１６が干渉防止部材２０の摺動範囲を規制するストッパを構成している。これにより取付部２１は、端子部１２と屈曲部１６との間（すなわち装着領域１３上）で摺動自在となる。
【００５０】
また、組み立て状態では、干渉防止部材２０の壁部２２が、端子部１２から延在する膨出部１４の端縁に、平行な姿勢で対向することになる。これにより壁部２２は、膨出部１４内周面の雌ねじ部１５と組電池３の端面との間に隔壁として介在することとなる。
【００５１】
このようにして組み立てられたモジュール用端子１は、組電池３をケーシング３０に収容する際に、ケーシング３０の蓋体３２に係合固定される。ケーシング３０は、図２に示したように、蓋体３２の側面の所定位置に角筒状の延出部３３が一対形成されており、この延出部３３の内部に形成された挿入孔３４内に、モジュール用端子１が挿入される。
【００５２】
既述したように、端子本体１０は端子部１２が略正方形状に形成されている。また干渉防止部材２０も、取付部２１の取付片及び支持壁２４等によって正面が角状部分を含む形状となっている。したがって、図２に示すように、角孔状の挿入孔３４にモジュール用端子１が挿入されると、挿入孔３４の内周面と、端子部１２及び干渉防止部材２０が嵌り合い、モジュール用端子１を回転停止状態として配設することができる。このようにモジュール用端子１が回転停止状態となることで、雌ねじ部１５に対する雄ねじ５の螺合作業をより効率的に実施できるようになる。
以上のように組み立てられることでモジュール４は、モジュール用端子１を備えた構成として完成する。
【００５３】
図９は、本実施形態に係るモジュール用端子に対し雄ねじを螺合する動作を順次示した側面断面図である。次に、同図を参照して、モジュール用端子１に雄ねじ５を螺合する際の動作及び作用について説明する。
上述した構成のモジュール４をバスバー６へ接続するときは、バスバー６の導電板６ａと端子部１２とを重ね合わせて、導電板６ａのねじ孔と端子部１２の雌ねじ部１５を一致させ、ここに雄ねじ５を挿入して螺合する（図９（ａ）参照）。
【００５４】
この状態で雄ねじ５を螺合していくと、先端面が干渉防止部材２０の壁部２２に当接する（図９（ｂ）参照）。このとき円筒状の膨出部１４は雄ねじ５の挿入方向を案内して、効果的に雄ねじ５を壁部２２に当接させることができる。
さらに、雄ねじ５を螺合すると、雄ねじ５の先端面によって壁部２２が押圧される。ここでモジュール用端子１は、雄ねじ５の挿入方向と、装着領域１３の延在方向が同一方向となっているため、壁部２２の押圧に並行して取付部２１をスムーズに移動させることができる。
【００５５】
取付部２１は、雄ねじ５の挿入に応じて必要量だけ積層電池セル２側に押されて移動することになり、雄ねじ５が導電板６ａとモジュール用端子１を完全に締結した状態において、この移動も停止する（図９（ｃ）参照）。モジュール用端子１に雄ねじ５を締結した状態では、壁部２２が雄ねじ５と当接した位置にあり、モジュール４内の組電池３側の空間を充分に確保することができる。よって、例えば、この空間が最小限となるように設計すれば、モジュール４自体の小型化を図ることも可能となる。
また、干渉防止部材２０が装着領域１３に対して摺動自在となっているので、雄ねじ５先端の突き出し長さが異なっても柔軟に対応することができ、汎用性にも優れている。
【００５６】
図１０は、本実施形態に係るモジュール用端子と雄ねじの螺合状態を示す部分斜視図であり、図１１（ａ）は、同状態を示す側面断面図、図１１（ｂ）は干渉防止部材がない場合を例示する側面断面図である。
図１０及び図１１（ａ）に示すように、モジュール用端子１は、雄ねじ５を締結した状態において、干渉防止部材２０の壁部２２が、雄ねじ５の先端と組電池３の端面との間に介在することとなる。すなわち壁部２２は、雌ねじ部１５に螺合した雄ねじ５が、組電池３として接続する積層電池セル２の正極端子２ｂや負極端子２ｃ（及び導電部材３ａを含む）に干渉することを防止する。
【００５７】
ここで、例えば図１１（ｂ）に示すように、干渉防止部材２０がない場合、雌ねじ部１５に螺合した雄ねじ５は、端子本体１０の端子部１２を貫通して先端が組電池３の端面と対向する位置に配置される。この状態において、モジュール４に振動や衝撃が加えられると、組電池３として接続した積層電池セル２を移動させ、積層電池セル２の各端子２ｂ、２ｃ（及び導電部材３ａを含む）が雄ねじ５の先端に干渉するおそれがあった。このように雄ねじ５が干渉した場合、複数の積層電池セル２を直列接続した回路構成の一部を短絡させてしまう。この短絡が生じると、モジュール４は、供給電圧が低下し、電池としてのエネルギー密度が不安定となる。また短絡によって、モジュール４が発熱や発火等を引き起こすおそれもあった。
【００５８】
しかし、図１１（ａ）のように、雄ねじ５の先端と組電池３の端面との間に壁部２２を介在させれば、積層電池セル２の各端子２ｂ、２ｃ（及び導電部材３ａを含む）と、雄ねじ５との干渉を容易に防止することができる。これにより積層電池セル２間の接続に短絡を生じさせることがなく、モジュール４のエネルギー密度を容易に安定化させることができる。さらに、雄ねじ５の干渉によって生じる積層電池セル２や各端子２ｂ、２ｃ（及び導電部材３ａを含む）等への破損も防止することができる。
【００５９】
〔変形例１〕
図１２は、本実施形態に係るモジュール用端子の変形例を示す斜視図及び投影図である。
モジュール用端子１は、干渉防止部材２０を樹脂成形する際に、取付部２１に弾性片（付勢手段）２５を一体成形することができる（図１２（ｃ）、（ｄ）参照）。この弾性片２５は、取付部２１を積層電池セル２側に移動することで、その先端部が端子本体１０の屈曲部１６に当接して弾性的に撓むことになる。その結果、取付部２１の移動方向とは反対方向（端子部１２方向）に付勢力が作用し、干渉防止部材２０を弾性的に押し返すことができる。よって、図１２（ｅ）に示すように、モジュール用端子１の雌ねじ部１５に雄ねじ５を螺合した状態では、壁部２２が雄ねじ５の先端に付勢力をもって当接した状態となる。したがって、外部から振動を受けても、干渉防止部材２０のがたつきや意図しない自由な摺動を防止することができる。
【００６０】
また、図１２（ａ）（ｂ）に示すように、モジュール用端子１は、突出する壁部２２の周縁から取付部２１の基部２１ａと平行に延出する側壁２６を備えた構成としてもよい。干渉防止部材２０が端子部１２側に位置した状態では、雌ねじ部１５がこの壁部２２と側壁２６によって作られる空間内に挿入される（図１２（ｄ）参照）。これにより、雄ねじ５を螺合する前の挿入孔３４内は、干渉防止部材２０の壁部２２と側壁２６によって閉塞状態となり、雌ねじ部１５からモジュール４内に、ゴミや埃が入り込むことを防ぐことができる。
【００６１】
しかも、側壁２６は、端子本体１０の端子部１２とともに、図２に示した蓋体３２の挿入孔３４内に配置され、その内周面（周囲に設けた延出部３３の内壁）によって回転が阻止される。すなわち、雄ねじ５が雌ねじ部１５にねじ込まれたとき、雄ねじ５の回転力が端子本体１０を介して干渉防止部材２０に伝えられる。この回転力を、側壁２６と端子本体１０の端子部１２がそれぞれ挿入孔３４（図２参照）の内周面に当接することで受け止め、端子本体１０及び干渉防止部材２０の回り止めとして機能する。
【００６２】
〔変形例２〕
図１３は、本実施形態に係るモジュール用端子の他の変形例を示す斜視図である。
図１３に示すように、干渉防止部材２０は、端子本体１０の装着領域１３の板厚に応じた腕部２８が、基部２１ａの両端部から延出する形状とすることもできる。各腕部２８の先端には装着領域１３の縁部に係合する外れ防止爪２７が設けてあり、各腕部２８を装着領域１３に挟み込むことで、干渉防止部材２０を端子本体１０に容易に装着することができる。
すなわち、干渉防止部材２０は、雄ねじ５の先端と組電池３の端面の間に介在して雄ねじ５の干渉を防止できればよく、取付部２１及び壁部２２の形状等は適宜設計することができる。
【００６３】
〔第２実施形態〕
次に、本発明の第２実施形態について、図面を参照して詳細に説明する。
図１４乃至図２０は、本発明の第２実施形態に係るモジュール用端子を説明するための図である。なお、先に説明した第１実施形態と同一部分又は相当する部分には同一符号を付し、その部分の詳細な説明は省略することもある。
【００６４】
図１４は、本実施形態に係るモジュール用端子を備えたモジュールの外観を示す斜視図であり、図１５は、図１４に示すモジュールの内部構成を示す斜視図である。また、図１６は、図１４に示すモジュールに収納された積層電池セルとモジュール用端子の電気的接続関係を示す分解斜視図である。
【００６５】
図１４に示すように、本実施形態のモジュール用端子１も、先の第１実施形態のものと同じく複数の積層電池セル２を接続してなる組電池３を内蔵するモジュール４に対し、電力を入出力する端子として組み込まれる。
【００６６】
図１４及び図１５に示すように、モジュール４は、複数の積層電池セル２を接続して構成された組電池３と、この組電池３を外装するケーシング３０と、組電池３の電力入出力用に組み込まれるモジュール用端子１と、を含む構成である。なお、組電池３を構成する積層電池セル２の構成については、第１実施形態において既述したとおりである。
【００６７】
図１５に示すように、組電池３は、上記の積層電池セル２を複数層（本実施形態では四層）積み重ねるとともに、複数列（図示していないが、本実施形態でも第１実施形態のものと同様に二列）並べて構成される。また、図には示されていないが、同一平板上に並べて設けられた各積層電池セル２は、先の第１実施形態のものと同様、後端部において導電部材３ａにより正極端子２ｂと負極端子２ｃが電気的に接続される（図４参照）。
一方、前端部側では、図１６に示すように、下から二枚、上から二枚の積層された各積層電池セル２の正極端子２ｂと負極端子２ｃが、モジュール用端子１によってそれぞれ電気的に接続される。また、本実施形態のモジュール４は、組電池３の中間電圧測定用のモジュール用端子（図１６の１Ａ）を備えている。このモジュール用端子１Ａは、四層に積層された四枚の積層電池セル２の電極端子（正極端子２ｂ又は負極端子２ｃ）と、電気的に接続されている。
本実施形態では、電力入出力用に二つのモジュール用端子１（左右に配置）と、中間電圧測定用のモジュール用端子１（中央に配置）とがモジュール４に組み込まれる。
【００６８】
図１７は、本実施形態においてモジュールに組み込まれる三種類のモジュール用端子を示すであり、（ａ）（ｂ）は電力入出力用のモジュール用端子の一つをそれぞれ別の方向から見た斜視図、（ｃ）（ｄ）は中間電圧測定用のモジュール用端子をそれぞれ別の方向から見た斜視図、（ｅ）（ｆ）は電力入出力用のモジュール用端子の他の一つをそれぞれ別の方向から見た斜視図である。
同図に示すように、三種類のモジュール用端子１は、端子本体１０の形状や干渉防止部材２０の大きさや一部の形状がそれぞれ異なっている。しかし、特徴となる構成は共通しているため、以下ではこれら三種類のモジュール用端子１のうちの一つを取り上げて詳細に説明するものとする。
【００６９】
図１８乃至図２０は、本実施形態に係るモジュール用端子を示す図で、図１８は、分解斜視図、図１９は、端子本体の構成を説明するための図、図２０は、干渉防止部材の構成を説明するための斜視図である。
図１８に示すように、本実施形態のモジュール用端子１も、端子本体１０と、干渉防止部材２０と、を含む構成である。
【００７０】
端子本体１０は、図１９（ａ）に示すような帯状をした銅製の金属板１１０を立体的に曲げ加工して形成してあり、中間部には金属板を捻りながら引き起こして直角方向へ延出させた捻り部１１１を有している。
本実施形態でも、端子本体１０は、一端部を略直角に折り曲げて端子部１２が形成してある（図１９（ｂ）参照）。この端子部１２は、略正方形の平板状となっており、雄ねじ５と協働して電気配線を固定する。端子部１２の略中央には、雄ねじ５を挿通するための透孔１１２が穿設してある。
さらに、端子部１２の根元から一定の領域が平板状の装着領域１３となっており、この装着領域１３に干渉防止部材２０が装着される。
また、本実施形態では、端子本体１０の適所を折り曲げ加工して段状に形成してあり（図１７参照）、それら段部１１３から連続する平坦面１１４が図１６に示した積層電池セル２の電極端子２ａ又は２ｂと電気的に接続される。
【００７１】
干渉防止部材２０は、絶縁性を有する合成樹脂材を用いた樹脂成形品であり、図１８及び図２０に示すように、壁部２２と対向して雌ねじ部１２０が形成してある。この雌ねじ部１２０は、壁部２２と対向する部位に形成した雌ねじ保持部１２１と、この雌ねじ保持部１２１に装着されるナット部材１２２とで構成される。
すなわち、雌ねじ保持部１２１は、壁部２２と対向する正面壁部１２３を有し、この正面壁部１２３の中央部に、ナット部材の外形（すなわち、六角形状）と対応する内部形状をした嵌合凹部１２４が形成されている。ナット部材１２２は、この嵌合凹部１２４に圧入して装着される（図１８参照）。また、正面壁部１２３には、このようにして嵌合凹部１２４に圧入されたナット部材１２２のねじ孔と対向する部位に透孔１２５が形成してある。
ナット部材１２２にねじ込まれ、透孔１２５を貫通した雄ねじ５の先端は、壁部２２と対向することになる。
【００７２】
雌ねじ保持部１２１と壁部２２は、左右両端縁がそれぞれ一対の側壁１２６、１２６によって連結されている。そして、これら側壁１２６、１２６の端縁（図１８の下端縁）から係止爪１２７、１２７が延出している。これら係止爪１２７、１２７は、互いに対向しており、その間隔は端子本体１０における装着領域１３の幅に対応させてある。そして、これら係止爪１２７、１２７がそれぞれ装着領域１３の両端縁へ弾性的に係合して、装着領域１３の平坦面上に干渉防止部材２０が装着される（図２０（ｂ）参照）。
なお、本実施形態では、これら係止爪１２７、１２７が延出した側壁１２６、１２６の端縁を含む干渉防止部材２０の底部が、端子本体１０への取付部を構成している。
【００７３】
端子本体１０における装着領域１３に干渉防止部材２０を装着した状態にあっては、雌ねじ保持部１２１の正面壁部１２３に端子本体１０の端子部１２が対向配置される。そして、端子部１２に形成した透孔１１２が、ナット部材１２２のねじ孔と対向する。
【００７４】
雌ねじ保持部１２１に形成した正面壁部１２３の外周縁からは、前方に向かって周壁部１２８が延出しており、正面壁部１２３と対向配置された端子部１２の周囲をこの周壁部１２８が覆うように構成してある。周壁部１２８は、正面壁部１２３の両側縁と上部縁から延出しており、下部縁付近は周壁部１２８の形成されていない切欠き部１２９となっている。
【００７５】
干渉防止部材２０は、端子本体１０の端子部１２をこの切欠き部１２９から導き入れて、正面壁部１２３に沿って案内するようにして、端子本体１０に組み付ける。その過程で、係止爪１２７、１２７が適正な姿勢で端子本体１０の装着領域１３に弾性的に係合するようになっている。
【００７６】
また、図２０に示すように、干渉防止部材２０は、取付部を構成する底面に、位置決めピン１３０を有している。一方、端子本体１０には、装着領域１３に位置決め孔１３１が穿設してあり、この位置決め孔１３１に位置決めピン１３０を差し込むことで、端子本体１０に対して干渉防止部材２０が位置決め固定される。この位置決めピン１３０は、根元から先端に向かって先細りとなる角錐形状に形成されており、根元において各辺の頂部が位置決め孔１３１の内周との当接状態を保つ寸法に設定してある。
ここで、位置決めピン１３０も、上述したように切欠き部１２９から端子本体１０の端子部１２を導き入れるようにして、干渉防止部材２０を組み付ける過程で、位置決め孔１３１に適正な姿勢で差し込まれる構成となっている。
【００７７】
本実施形態のモジュール用端子１も、先の第１実施形態と同じく、図１５に示すように端子本体１０の端子部１２及び干渉防止部材２０が、ケーシング３０の蓋体３２に形成した延出部３３内に挿入配置される。
このとき、干渉防止部材２０に形成した雌ねじ保持部１２１の外周縁と側壁１２６が、雄ねじから受ける回転モーメントに対して延出部３３の内周面に当接して、端子部１２及び干渉防止部材２０の連れ回りを規制する。したがって、端子本体１０が移動して積層電池セル２の電極端子２ａ又は２ｂとの間の電気的な接続状態を破断してしまうおそれがない。
また、上述したように端子本体１０の端子部１２の周囲を、干渉防止部材２０の雌ねじ保持部１２１に形成した周壁部１２８が覆うので、端子部１２が蓋体３２における延出部３３の内周面に当接することがなく、よって金属打音の発生を防止することができる。
本実施形態のモジュール用端子１も、先の第１実施形態と同じく、雄ねじ５の先端と組電池３との間に干渉防止部材２０が介在することになる。このため、螺合した雄ねじ５の先端は干渉防止部材２０に当接するので、積層電池セル２の本体やその端子等との干渉を回避することができる。
【００７８】
なお、上述した第１実施形態のモジュール用端子１に第２実施形態の干渉防止部材２０とその関連構造を適用することもでき、逆に第２実施形態のモジュール用端子１に第１実施形態の干渉防止部材２０とその関連構造を適用することもできる。
【符号の説明】
【００７９】
１：モジュール用端子、２：積層電池セル、２ａ：袋状外包体、２ｂ：正極端子、２ｃ：負極端子、３：組電池、３ａ：導電部材、４：モジュール、５：雄ねじ、６：バスバー、６ａ：導電板、
１０：端子本体、１１：他端部、１２：端子部、１３：装着領域、１４：膨出部、１５：雌ねじ部、１６：屈曲部、
２０：干渉防止部材、２１：取付部、２１ａ：基部、２１ｂ：取付片、２２：壁部、２３：リブ、２４：支持壁、２５：弾性片、２６：側壁、２７：外れ防止爪、２８：腕部、
３０：ケーシング、３１：筒体、３２：蓋体、３３：延出部、３４：挿入孔、
１００：二次電池、
１１０：金属板、１１１：捻り部、１１２：透孔、１１３：段部、１１４：平坦面、
１２０：雌ねじ部、１２１：雌ねじ保持部、１２２：ナット部材、１２３：正面壁部、１２４：嵌合凹部、１２５：透孔、１２６：側壁、１２７：係止爪、１２８：周壁部、１２９：切欠き部、１３０：位置決めピン、１３１：位置決め孔
【図１】
2010257944.tif 000003
【図２】
2010257944.tif 000004
【図３】
2010257944.tif 000005
【図４】
2010257944.tif 000006
【図５】
2010257944.tif 000007
【図６】
2010257944.tif 000008
【図７】
2010257944.tif 000009
【図８】
2010257944.tif 000010
【図９】
2010257944.tif 000011
【図１０】
2010257944.tif 000012
【図１１】
2010257944.tif 000013
【図１２】
2010257944.tif 000014
【図１３】
2010257944.tif 000015
【図１４】
2010257944.tif 000016
【図１５】
2010257944.tif 000017
【図１６】
2010257944.tif 000018
【図１７】
2010257944.tif 000019
【図１８】
2010257944.tif 000020
【図１９】
2010257944.tif 000021
【図２０】
2010257944.tif 000022